(57)【特許請求の範囲】
【請求項１】
複数の画素が設けられた表示部を有する表示装置であって、
一つの画素は、四つの副画素を有し、
前記表示部は、
それぞれ異なる色である第１の色、第２の色、第３の色及び第４の色の四色の副画素をそれぞれ一つずつ有する画素と、
前記第１の色、前記第２の色又は前記第３の色のうちいずれか一色の副画素を二つ有し、他の二色の副画素をそれぞれ一つずつ有する画素と、
を有し、
一つの画素に含まれる同色の二つの副画素は隣接する、
表示装置。
【請求項２】
前記複数の画素は、互いに交差する二方向に沿ってマトリクス状に設けられ、
前記第４の色の副画素は、前記二方向のうち少なくとも一方向に沿って所定周期で配置される、
請求項１に記載の表示装置。
【請求項３】
前記複数の画素は、互いに交差する二方向に沿ってマトリクス状に設けられ、
前記第４の色の副画素を有する画素と前記第４の色の副画素を有しない画素とが前記二方向のうち少なくとも一方向に沿って互い違いに設けられる、
請求項１又は２に記載の表示装置。
【請求項４】
前記第１の色の副画素の数と、前記第２の色の副画素の数と、前記第３の色の副画素の数とは等しい、
請求項１又は２に記載の表示装置。
【請求項５】
前記第１の色の副画素の数と、前記第２の色の副画素の数と、前記第３の色の副画素の数のうち少なくとも一つの色の副画素の数が他の色の副画素の数と異なる、
請求項１又は２に記載の表示装置。
【請求項６】
前記第１の色、前記第２の色、前記第３の色は、それぞれ赤色、緑色、青色である、
請求項１又は２に記載の表示装置。
【請求項７】
前記第４の色は、白色である、
請求項１又は２に記載の表示装置。
【請求項８】
前記画素に含まれる四つの副画素は、所定の方向に沿って連続的に配置される、
請求項１又は２に記載の表示装置。
【発明の詳細な説明】
【技術分野】
【０００１】
本発明は、表示装置に関する。
【背景技術】
【０００２】
画素を構成する複数の副画素の色として、赤（Ｒ）、緑（Ｇ）、青（Ｂ）、白（Ｗ）の四色を用いる表示装置が知られている（例えば特許文献１）。赤（Ｒ）、緑（Ｇ）、青（Ｂ）の三色の副画素に加えて白（Ｗ）の副画素を備えることで、表示装置は、白色成分を含む色の表示に際してより明るい表示を行うことができる。
【先行技術文献】
【特許文献】
【０００３】
【特許文献１】特表２０１０−５２６３３２号公報
【発明の概要】
【発明が解決しようとする課題】
【０００４】
しかしながら、特許文献１に記載されているような画素が四色の副画素により構成される表示装置は、白（Ｗ）の副画素を有するため、赤（Ｒ）、緑（Ｇ）、青（Ｂ）の副画素に割り当てることができる表示領域の面積が白（Ｗ）の副画素の面積だけ小さくなる。このため、係る表示装置は、赤（Ｒ）、緑（Ｇ）、青（Ｂ）の三色のみの副画素により画素が構成されている表示装置に比して、赤（Ｒ）、緑（Ｇ）、青（Ｂ）の三色の副画素のいずれかを用いて表現する色（単色）の輝度等、当該三色の少なくとも一つ以上の色の出力信号値が大きい色の輝度が低くなる問題があった。
【０００５】
係る問題は、赤（Ｒ）、緑（Ｇ）、青（Ｂ）、白（Ｗ）の四色を副画素の色として用いる表示装置に限らず、四色以上の色を副画素の色として用いる表示装置に共通の問題である。すなわち、四色以上の副画素を有する表示装置は、当該四色以上の色のうち第１の色、第２の色、第３の色の三色に割り当てることができる副画素の面積が、当該三色の副画素のみを有する表示装置に比して小さくなる。
【０００６】
本発明は、上記の課題に鑑みてなされたもので、第１の色、第２の色、第３の色及び第４の色の四色の副画素を有する表示装置であって第１の色、第２の色、第３の色の輝度をより高くすることができる表示装置を提供することを目的とする。又は、副画素の色として第１の色、第２の色、第３の色に加えて第４の色を用いたことにより得られる効果と、第１の色、第２の色、第３の色のより高い輝度とを両立することができる表示装置を提供することを目的とする。
【課題を解決するための手段】
【０００７】
本発明の一態様による表示装置は、複数の画素が設けられた表示部を有する表示装置であって、一つの画素は、四つの副画素を有し、前記表示部は、それぞれ異なる色である第１の色、第２の色、第３の色及び第４の色の四色の副画素をそれぞれ一つずつ有する画素と、前記第１の色、前記第２の色又は前記第３の色のうちいずれか一色の副画素を二つ有し、他の二色の副画素をそれぞれ一つずつ有する画素とを有する。
【図面の簡単な説明】
【０００８】
【図１】図１は、本発明を実施するための第１の実施形態（実施形態１）に係る表示装置の構成の一例を示すブロック図である。
【図２】図２は、実施形態１に係る表示装置の画像表示パネル及び画像表示パネル駆動回路の概念図である。
【図３】図３は、実施形態１に係る画像表示パネルの一部分の画素配置を示す図である。
【図４】図４は、実施形態１に係る画像表示パネルの一部分であって、図３よりも広い範囲の画素配置を示す図である。
【図５】図５は、従来のＲＧＢＷ方式による画像表示パネルを示す図である。
【図６】図６は、従来のＲＧＢ方式による画像表示パネルを示す図である。
【図７】図７は、実施形態１の変形例に係る画像表示パネル４０の一部分の画素配置を示す図である。
【図８】図８は、実施形態２に係る画像表示パネルの一部分の画素配置を示す図である。
【図９】図９は、実施形態２の変形例に係る画像表示パネル４０の一部分の画素配置を示す図である。
【図１０】図１０は、実施形態３に係る画像表示パネルの一部分の画素配置を示す図である。
【図１１】図１１は、実施形態４に係る画像表示パネルの一部分の画素配置を示す図である。
【図１２】図１２は、各実施形態に係る表示装置を適用する電子機器の一例を示す図である。
【図１３】図１３は、各実施形態に係る表示装置を適用する電子機器の一例を示す図である。
【発明を実施するための形態】
【０００９】
発明を実施するための形態（実施形態）につき、図面を参照しつつ詳細に説明する。以下の実施形態に記載した内容により本発明が限定されるものではない。また、以下に記載した構成要素には、当業者が容易に想定できるもの、実質的に同一のものが含まれる。さらに、以下に記載した構成要素は適宜組み合わせることが可能である。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【００１０】
（実施形態１）
図１は、本発明を実施するための第１の実施形態（実施形態１）に係る表示装置の構成の一例を示すブロック図である。図２は、実施形態１に係る表示装置の画像表示パネル及び画像表示パネル駆動回路の概念図である。図１に示すように、表示装置１０は、入力信号（例えば、ＲＧＢデータ）が入力され所定のデータ変換処理を実行して出力する信号処理部２０と、画像を表示させる画像表示パネル４０と、信号処理部２０から出力された出力信号に基づいて画像表示パネル４０の駆動を制御する画像表示パネル駆動回路３０と、画像表示パネル４０を、例えばその背面から照明する光源部５０と、を備える。
【００１１】
信号処理部２０は、画像表示パネル４０及び光源部５０のそれぞれの動作を同期して制御する。信号処理部２０は、画像表示パネル４０を駆動するための画像表示パネル駆動回路３０、及び、画像表示パネル４０を照明する光源部５０と接続されている。信号処理部２０は、外部から入力される入力信号を処理して出力信号及び光源制御信号を生成する。つまり、信号処理部２０は、例えば入力信号が示す入力ＨＳＶ色空間の入力値（入力信号）を、第１の色、第２の色、第３の色及び第４の色成分で再現される再現ＨＳＶ色空間の再現値（出力信号）に変換して生成し、これに基づく出力信号を画像表示パネル駆動回路３０に出力する。また、信号処理部２０は、出力信号に対応する光源制御信号を光源部５０に出力する。
【００１２】
図１、図２に示すように、画像表示パネル４０は、複数の画素４８が２次元のマトリクス状に配列されている。図２に示す例は、ＸＹの２次元座標系に複数の画素４８がマトリクス状に配列されている例を示している。この例において、行方向がＸ方向、列方向がＹ方向である。このように、複数の画素４８は、互いに交差する二方向（行方向、列方向）に沿ってマトリクス状に設けられている。また、図２に示すように、一つの画素４８は、複数の副画素４９により構成される。副画素４９については後述する。
【００１３】
画像表示パネル駆動回路３０は、信号出力回路３１及び走査回路３２を備えている。画像表示パネル駆動回路３０は、信号出力回路３１によって映像信号を保持し、順次、画像表示パネル４０に出力する。信号出力回路３１は、配線ＤＴＬによって画像表示パネル４０と電気的に接続されている。画像表示パネル駆動回路３０は、走査回路３２によって、画像表示パネル４０における副画素の動作（例えば表示輝度で、この場合は光透過率）を制御するためのスイッチング素子（例えば、薄膜トランジスタ(ＴＦＴ)）のオン及びオフを制御する。走査回路３２は、配線ＳＣＬによって画像表示パネル４０と電気的に接続されている。
【００１４】
光源部５０は、例えば発光ダイオード（ＬＥＤ：Light  Emitting  Diode）等の光源を有し、電力の供給及び信号処理部２０から出力される光源制御信号に応じて画像表示パネル４０を照明する。光源部５０は、例えば画像表示パネル４０の背面に配置され、画像表示パネル４０に向けて光を照射することで、画像表示パネル４０を照明する。光源部５０は、光源制御信号に基づいて光源部５０に供給する電流、電圧又は信号のｄｕｔｙ比を調整し、画像表示パネル４０を照射する光の照射光量（光の強度）を制御する。光源部５０は、画像表示パネル４０の前面に配置したフロントライト構成であってもよい。また画像表示パネル４０として自発光のディスプレイ、例えばＯＬＥＤ（Organic  Light  Emitting  Diode）ディスプレイ等を用いる場合、光源部５０は不要にできる。
【００１５】
図３は、実施形態１に係る画像表示パネルの一部分の画素配置を示す図である。図２、図３に示すように、画素４８は、四つの副画素４９により構成される。画素４８は、少なくとも第１副画素４９Ｒと、第２副画素４９Ｇと、第３副画素４９Ｂとを有する。また、複数の画素４８のうち一部の画素（画素４８Ｗ）は、さらに第４副画素４９Ｗを有する。画素４８に含まれる四つの副画素は、所定の方向（例えば行方向）に沿って連続的に配置される。
【００１６】
第１副画素４９Ｒは、第１色成分（例えば、第１原色として赤色）を表示する。第２副画素４９Ｇは、第２色成分（例えば、第２原色として緑色）を表示する。第３副画素４９Ｂは、第３色成分（例えば、第３原色として青色）を表示する。第４副画素４９Ｗは、第４色成分（具体的には白色）を表示する。第１副画素４９Ｒと、第２副画素４９Ｇと、第３副画素４９Ｂと、第４副画素４９Ｗとをそれぞれ区別する必要がない場合、副画素４９とする。このように、実施形態１では、第１の色、第２の色、第３の色は、それぞれ赤色、緑色、青色である。また、実施形態１では、第４の色は、白色である。
【００１７】
実施形態１では、出力信号が示す再現ＨＳＶ色空間の第１の色、第２の色、第３の色及び第４の色成分と、第１副画素４９Ｒ、第２副画素４９Ｇ、第３副画素４９Ｂ及び第４副画素４９Ｗの各々の色成分とが対応しているものとするが、出力信号の色成分と副画素４９の色成分とが直接対応しなくてもよい。例えば、副画素４９の色成分の少なくともいずれか一つの色成分が発揮し得る単色の最大の輝度が、出力信号が示す再現ＨＳＶ色空間で定められた当該単色の最大の輝度よりも高い輝度であってもよい。
【００１８】
表示装置１０は、より具体的には、例えば透過型のカラー液晶表示装置である。画像表示パネル４０は、カラー液晶表示パネルであり、第１副画素４９Ｒと画像観察者との間に第１原色を通過させる第１カラーフィルタが配置され、第２副画素４９Ｇと画像観察者との間に第２原色を通過させる第２カラーフィルタが配置され、第３副画素４９Ｂと画像観察者との間に第３原色を通過させる第３カラーフィルタが配置されている。また、画像表示パネル４０は、第４副画素４９Ｗと画像観察者との間にカラーフィルタが配置されていない。第４副画素４９Ｗには、カラーフィルタの代わりに透明な樹脂層が備えられていてもよい。
【００１９】
図３に示す例では、等しい面積を有する四つの副画素４９を所謂ストライプ配列で配置している。ただしストライプ配列は一例であってこれに限られるものでない。１つの画素４８に含まれる四つの副画素４９の構造及びその配置は特に限定されない。例えば、画像表示パネル４０は、四つの副画素４９をダイアゴナル配列（モザイク配列）に類似した配列で配置してもよい。また、例えば、副画素４９の配列をデルタ配列（トライアングル配列）に類似した配列、レクタングル配列に類似した配列等としてもよい。また、四つの副画素は等面積でなくてもよい。
【００２０】
一般的には、ストライプ配列に類似した配列は、パーソナルコンピュータ等においてデータや文字列を表示するのに好適である。これに対して、モザイク配列に類似した配列は、ビデオカメラレコーダ又はデジタルスチルカメラ等において自然画を表示するのに好適である。これらの配列と製品との関係はあくまで一例であり、これに限られるものでなく、当該関係は任意である。
【００２１】
画素４８は、第１副画素４９Ｒと、第２副画素４９Ｇと、第３副画素４９Ｂと、第４副画素４９Ｗとを一つずつ有する画素４８Ｗと、第１副画素４９Ｒ、第２副画素４９Ｇ、第３副画素４９Ｂのうちいずれか一つを二つ有し、他を一つずつ有する画素（画素４８Ｒ、画素４８Ｇ、画素４８Ｂ）とを含む。第１副画素４９Ｒを二つ有し、第２副画素４９Ｇ、第３副画素４９Ｂを一つずつ有する画素を画素４８Ｒとし、第２副画素４９Ｇを二つ有し、第１副画素４９Ｒ、第３副画素４９Ｂを一つずつ有する画素を画素４８Ｇとし、第３副画素４９Ｂを二つ有し、第１副画素４９Ｒ、第２副画素４９Ｇを一つずつ有する画素を画素４８Ｂとする。また、画素４８Ｒ、画素４８Ｇ、画素４８Ｂ、画素４８Ｗを区別する必要がない場合、画素４８とする。また、特筆しない限り、画素４８Ｒ、画素４８Ｇ、画素４８Ｂ、画素４８Ｗの符号は、各々が有する第１副画素４９Ｒ、第２副画素４９Ｇ、第３副画素４９Ｂ及び第４副画素４９Ｗの数についてのみ区別するための符号であって、これらの副画素４９の並び順を区別するための符号でない。
【００２２】
図４は、実施形態１に係る画像表示パネル４０の一部分であって、図３よりも広い範囲の画素配置を示す図である。図４等では、副画素４９に係る符号を省略している。図４では、「Ｒ」が内側に記載された長方形が第１副画素４９Ｒを示し、「Ｇ」が内側に記載された長方形が第２副画素４９Ｇを示し、「Ｂ」が内側に記載された長方形が第３副画素４９Ｂを示し、「Ｗ」が内側に記載された長方形が第４副画素４９Ｗを示している。また、図４等では、画素４８Ｒ、画素４８Ｇ、画素４８Ｂ、画素４８Ｗを区別するための符号が副画素４９を示す長方形の一部に上書きされている。画像表示パネル４０は、列方向に沿って画素４８Ｒと画素４８Ｗとが互い違いに設けられる画素列（Ｒ列）と、列方向に沿って画素４８Ｇと画素４８Ｗとが互い違いに設けられる画素列（Ｇ列）と、列方向に沿って画素４８Ｂと画素４８Ｗとが互い違いに設けられる画素列（Ｂ列）とが行方向に沿って周期的に設けられている。また、画像表示パネル４０は、行方向に沿って、画素４８Ｒと、画素４８Ｗと、画素４８Ｂと、画素４８Ｗと、画素４８Ｇと、画素４８Ｗとが周期的に設けられている。
【００２３】
以下、より具体的な画素４８Ｒ、画素４８Ｇ、画素４８Ｂ、画素４８Ｗの配置について、図４を参照して説明する。ある画素４８と他の画素４８との隣接関係及びある副画素４９と他の副画素４９と隣接関係の説明において、図４を参照して、行方向についてある画素４８の右側に隣接する画素４８の配置をさして「右隣」と記載し、列方向についてある画素４８の下側に隣接する画素４８の配置をさして「下隣」と記載することがある。同様に、列方向についてある副画素４９の上下に隣接する副画素４９の配置をさして「上下隣」と記載することがある。
【００２４】
画素４８Ｒの右隣には、Ｇ列に存する画素４８Ｗが設けられている。Ｇ列に存する画素４８Ｗの右隣には、画素４８Ｂが設けられている。この画素４８Ｂの右隣には、Ｒ列に存する画素４８Ｗが設けられている。Ｒ列に存する画素４８Ｗの右隣には、画素４８Ｇが設けられている。画素４８Ｇの右隣には、Ｂ列に存する画素４８Ｗが設けられている。Ｂ列に存する画素４８Ｗの右隣には、画素４８Ｒが設けられている。以降、画像表示パネル４０が有する画素行の右端に達するまで、行方向についてこの並び順で画素が配置される。図４に示す例の場合、左端に存する画素列がＲ列であることから、各行の左端に存する画素４８が画素４８Ｒ又はＲ列に存する画素４８Ｗになっているが、一例であってこれに限られるものでなく、任意の画素列（例えばＧ列又はＢ列）とすることができる。
【００２５】
また、画素４８Ｒの下隣には、Ｒ列に存する画素４８Ｗが設けられている。Ｒ列に存する画素４８Ｗの下隣には、画素４８Ｒが設けられている。また、画素４８Ｇの下隣には、Ｇ列に存する画素４８Ｗが設けられている。Ｇ列に存する画素４８Ｗの下隣には、画素４８Ｇが設けられている。また、画素４８Ｂの下隣には、Ｂ列に存する画素４８Ｗが設けられている。Ｂ列に存する画素４８Ｗの下隣には、画素４８Ｂが設けられている。Ｒ列、Ｇ列、Ｂ列の各々において、列方向についてこの並び順で画素が配置される。このように、画像表示パネル４０において、画素４８Ｗは、千鳥状（市松模様状）に配置されている。すなわち、第４の色の副画素（第４副画素４９Ｗ）を有する画素（画素４８Ｗ）と第４の色の副画素を有しない画素（画素４８Ｒ、画素４８Ｇ、画素４８Ｂ）とが二方向のうち少なくとも一方向（実施形態１では、行方向及び列方向）に沿って互い違いに設けられる。
【００２６】
画素４８Ｒにおける第１副画素４９Ｒ、第２副画素４９Ｇ、第３副画素４９Ｂの並び順は、ストライプ配列の左側から右側に向かう順に記載すると、第１副画素４９Ｒ、第１副画素４９Ｒ、第２副画素４９Ｇ、第３副画素４９Ｂの順である。同様の記載順で、画素４８Ｇにおける第１副画素４９Ｒ、第２副画素４９Ｇ、第３副画素４９Ｂの並び順は、第１副画素４９Ｒ、第２副画素４９Ｇ、第２副画素４９Ｇ、第３副画素４９Ｂの順である。画素４８Ｂにおける第１副画素４９Ｒ、第２副画素４９Ｇ、第３副画素４９Ｂの並び順は、第１副画素４９Ｒ、第２副画素４９Ｇ、第３副画素４９Ｂ、第３副画素４９Ｂの順である。このように、一つの画素４８に含まれる同色の二つの副画素４９は隣接する。
【００２７】
また、Ｒ列に存する画素４８Ｗが有する第４副画素４９Ｗの上下隣には第１副画素４９Ｒが設けられている。このため、図４に示すように、Ｒ列は、行方向について第１副画素４９Ｒ、第１副画素４９Ｒ、第２副画素４９Ｇ、第３副画素４９Ｂの順で並ぶ副画素４９の列のうち、第１副画素４９Ｒの列の一方（例えば第２副画素４９Ｇに隣接する第１副画素４９Ｒの列）が有する第１副画素４９Ｒを一行おきで第４副画素４９Ｗに置換したものとなっている。同様に、Ｇ列に存する画素４８Ｗが有する第４副画素４９Ｗの上下隣には第２副画素４９Ｇが設けられている。また、Ｂ列に存する画素４８Ｗが有する第４副画素４９Ｗの上下隣には第３副画素４９Ｂが設けられている。このように、第４副画素４９Ｗが設けられている副画素４９の列において、第４副画素４９Ｗは、一行おきという周期で配置される。
【００２８】
行方向における第４副画素４９Ｗの配置間隔は、所定の周期性を有する。具体的には、例えば図４に示すように、Ｒ列に存する画素４８Ｗが有する第４副画素４９Ｗから右側に他の副画素４９（第１副画素４９Ｒ、第２副画素４９Ｇ又は第３副画素４９Ｂ）を八つ隔てて、Ｂ列に存する画素４８Ｗが有する第４副画素４９Ｗが設けられている。また、Ｂ列に存する画素４８Ｗが有する第４副画素４９Ｗから右側に他の副画素４９を六つ隔てて、Ｇ列に存する画素４８Ｗが有する第４副画素４９Ｗが設けられている。また、Ｇ列に存する画素４８Ｗが有する第４副画素４９Ｗから右側に他の副画素４９を七つ隔てて、Ｒ列に存する画素４８Ｗが有する第４副画素４９Ｗが設けられている。このように、第４の色の副画素（第４副画素４９Ｗ）は、二方向のうち少なくとも一方向（実施形態１では、行方向及び列方向）に沿って所定周期で配置される。
【００２９】
上記のような第４副画素４９Ｗの配置から、Ｒ列に存する画素４８Ｗと、Ｇ列に存する画素４８Ｗと、Ｂ列に存する画素４８Ｗとでは、第１副画素４９Ｒ、第２副画素４９Ｇ、第３副画素４９Ｂ、第４副画素４９Ｗの並び順が異なり得る。ストライプ配列の左側から右側に向かう順に記載すると、Ｒ列に存する画素４８Ｗ及びＧ列に存する画素４８Ｗでは、第１副画素４９Ｒ、第４副画素４９Ｗ、第２副画素４９Ｇ、第３副画素４９Ｂの順である。Ｂ列に存する画素４８Ｗでは、第１副画素４９Ｒ、第２副画素４９Ｇ、第４副画素４９Ｗ、第３副画素４９Ｂの順である。これらの並び順はあくまで一例であり、これに限られるものでない。例えば、Ｇ列に存する画素４８Ｗにおける第１副画素４９Ｒ、第２副画素４９Ｇ、第３副画素４９Ｂ、第４副画素４９Ｗの並び順が、第１副画素４９Ｒ、第２副画素４９Ｇ、第４副画素４９Ｗ、第３副画素４９Ｂの順であってもよい。
【００３０】
また、第１の色の副画素（第１副画素４９Ｒ）の数と、第２の色の副画素（第２副画素４９Ｇ）の数と、第３の色の副画素（第３副画素４９Ｂ）の数とは等しい。具体的には、第１副画素４９Ｒの数と、第２副画素４９Ｇの数と、第３副画素４９Ｂの数と、第４副画素４９Ｗの数との比率は、７：７：７：３である。
【００３１】
図５は、従来のＲＧＢＷ方式による画像表示パネル４０を示す図である。図５に示すような、全ての画素４８が画素４８Ｗである従来のＲＧＢＷ方式による画像表示パネル４０における第１副画素４９Ｒの数と、第２副画素４９Ｇの数と、第３副画素４９Ｂの数と、第４副画素４９Ｗの数との比率は、１：１：１：１である。図４に示す実施形態１の画像表示パネル４０と、図５に示す従来の画像表示パネル４０との差が副画素４９の色のみであるという条件下において、実施形態１の画像表示パネル４０は、従来の画像表示パネル４０に比して、第１色成分、第２色成分、第３色成分の輝度が７／６倍である。このように、実施形態１によれば、第１の色、第２の色、第３の色の輝度をより高くすることができる。
【００３２】
図６は、従来のＲＧＢ方式による画像表示パネル４０を示す図である。図６に示すような、第１副画素４９Ｒ、第２副画素４９Ｇ、第３副画素４９Ｂのみからなる画素４８ＲＧＢにより構成される従来のＲＧＢ方式による画像表示パネル４０は、第４副画素４９Ｗを有しないので、第４色成分による効果（例えば、輝度の向上）を実現することができない。一方、実施形態１の画像表示パネル４０は、第４副画素４９Ｗを有するので、第４色成分による効果を奏することができる。このように、実施形態１によれば、副画素４９の色として第１の色、第２の色、第３の色に加えて第４の色を用いたことにより得られる効果と、第１の色、第２の色、第３の色のより高い輝度とを両立することができる。
【００３３】
なお、上記で説明したように、信号処理部２０は、例えば入力信号が示す入力ＨＳＶ色空間の入力値（入力信号）を、第１の色、第２の色、第３の色及び第４の色成分で再現される再現ＨＳＶ色空間の再現値（出力信号）に変換して生成し、これに基づく出力信号を画像表示パネル駆動回路４０に出力する。ここで、画素４８Ｒ、画素４８Ｇ、画素４８Ｂは、第４副画素４９Ｗを有しないので、第４の色成分を出力することができない。そこで、実施形態１では、第４副画素４９Ｗを有しない画素について、例外処理を行う。具体的には、例えば、画素４８Ｒ、画素４８Ｇ、画素４８Ｂは、第４の色成分を無視し、第１の色成分、第２の色成分及び第３の色成分に応じた出力を行うようにしてもよい。また、信号処理部２０は、画素４８Ｒ、画素４８Ｇ、画素４８Ｂに対応する出力信号を、再現ＨＳＶ色空間内で第１の色、第２の色、第３の色のみによって再現可能な色に対応する出力信号として出力するようにしてもよい。また、信号処理部２０は、所定の組み合わせの画素グループ単位で第４副画素４９Ｗを用いた輝度調整を行うようにしてもよい。具体的には、例えば図４に示す画素配置の場合、行方向×列方向について２画素×３画素を一つの組の画素グループとし、この画素グループのうち第４の色に変換可能な輝度成分であって当該画素グループに含まれる第４副画素４９Ｗで再現可能な輝度成分を当該画素グループに含まれる第４副画素４９Ｗに配分するとともに、第４副画素４９Ｗに配分された輝度分だけ他の色成分の輝度を低減させるようにしてもよい。第４の色に変換可能な輝度成分の例を挙げると、入力信号を構成する第１の色、第２の色、第３の色の組み合わせが赤色、緑色、青色（ＲＧＢ）である場合、入力信号が示すこれらの色成分の輝度値のうち最も小さい値に対応する、全色成分の混合色（ＲＧＢの混色による白色）の色成分である。具体例として、ＲＧＢの入力信号が（１００，１００，５０）であるとすると、このうち白色に変換可能な輝度成分は、（５０，５０，５０）である。係る変換における各色の配分は、第１の色、第２の色、第３の色及び第４の色に応じて適宜設定される。
【００３４】
以上説明したように、実施形態１によれば、表示部として機能する画像表示パネル４０が、それぞれ異なる色である第１の色、第２の色、第３の色及び第４の色の四色の副画素（例えば、第１副画素４９Ｒ、第２副画素４９Ｇ、第３副画素４９Ｂ、第４副画素４９Ｗ）をそれぞれ一つずつ有する画素（例えば、画素４８Ｗ）と、第１の色、第２の色又は第３の色のうちいずれか一色の副画素を二つ有し、他の二色の副画素をそれぞれ一つずつ有する画素（例えば、画素４８Ｒ、画素４８Ｇ、画素４８Ｂ）とを有するので、第１の色、第２の色、第３の色及び第４の色の四色の副画素を有する条件下で、第１の色、第２の色、第３の色の輝度をより高くすることができる。また、副画素の色として第１の色、第２の色、第３の色に加えて第４の色を用いたことにより得られる効果と、第１の色、第２の色、第３の色のより高い輝度とを両立することができる。
【００３５】
また、第４の色の副画素（例えば、第４副画素４９Ｗ）は、二方向のうち少なくとも一方向に沿って所定周期で配置されるので、第４の色の副画素を表示部の一部分に偏らせることなく分散配置することができる。
【００３６】
また、第４の色の副画素（第４副画素４９Ｗ）を有する画素（画素４８Ｗ）と第４の色の副画素を有しない画素（画素４８Ｒ、画素４８Ｇ、画素４８Ｂ）とが二方向のうち少なくとも一方向に沿って互い違いに設けられるので、第４の色の副画素を有する画素を表示部の一部分に偏らせることなく分散配置することができる。
【００３７】
また、第１の色の副画素（第１副画素４９Ｒ）の数と、第２の色の副画素（第２副画素４９Ｇ）の数と、第３の色の副画素（第３副画素４９Ｂ）の数とが等しいので、第１の色、第２の色及び第３の色の輝度の高まりを特定の色に偏らせることなく、これらの色の輝度をより高くすることができる。
【００３８】
また、一つの画素４８に含まれる同色の二つの副画素４９が隣接するので、隣接する二つの副画素４９の領域における当該二つの副画素４９の色の輝度をより高くすることができる。
【００３９】
（実施形態１の変形例）
図７は、実施形態１の変形例に係る画像表示パネル４０の一部分の画素配置を示す図である。図７に示すように、実施形態１の図４の画素４８Ｗの第３副画素４９Ｂ及び第４画素４９Ｗを入れ替えてもよい。図７において、画素４８Ｗにおける第１副画素４９Ｒ、第２副画素４９Ｇ、第３副画素４９Ｂ、第４副画素４９Ｗの並び順は、ストライプ配列の左側から右側に向かう順に記載すると、第１副画素４９Ｒ、第３副画素４９Ｂ、第４副画素４９Ｗ、第３副画素４９Ｂの順である。
【００４０】
図７において、行方向における第４副画素４９Ｗの配置間隔は、所定の周期性を有する。具体的には、例えば図４に示すように、Ｒ列に存する画素４８Ｗが有する第４副画素４９Ｗから右側に他の副画素４９（第１副画素４９Ｒ、第２副画素４９Ｇ又は第３副画素４９Ｂ）を七つ隔てて、Ｂ列に存する画素４８Ｗが有する第４副画素４９Ｗが設けられている。また、Ｂ列に存する画素４８Ｗが有する第４副画素４９Ｗから右側に他の副画素４９を七つ隔てて、Ｇ列に存する画素４８Ｗが有する第４副画素４９Ｗが設けられている。また、Ｇ列に存する画素４８Ｗが有する第４副画素４９Ｗから右側に他の副画素４９を七つ隔てて、Ｒ列に存する画素４８Ｗが有する第４副画素４９Ｗが設けられている。このように、第４の色の副画素（第４副画素４９Ｗ）は、二方向のうち少なくとも一方向（実施形態１では、行方向及び列方向）に沿って所定周期で配置される。
【００４１】
さらに、隣接する二列の副画素４９の一方で第４副画素４９Ｗが配置されている副画素４９の列と、他方で第４副画素４９Ｗが配置されている副画素４９の列との間に存する副画素４９の列の数は一律三列である。このように、実施形態１の変形例では、第４副画素４９Ｗが等間隔配置されている。
【００４２】
実施形態１の変形例によれば、実施形態１と同様の効果を得られる。すなわち、第１の色、第２の色、第３の色及び第４の色の四色の副画素を有する条件下で、第１の色、第２の色、第３の色の輝度をより高くすることができる。また、副画素の色として第１の色、第２の色、第３の色に加えて第４の色を用いたことにより得られる効果と、第１の色、第２の色、第３の色のより高い輝度とを両立することができる。また、第４の色の副画素を表示部の一部分に偏らせることなく分散配置することができる。また、第１の色、第２の色及び第３の色の輝度の高まりを特定の色に偏らせることなく、これらの色の輝度をより高くすることができる。また、隣接する二つの副画素４９の領域における当該二つの副画素４９の色の輝度をより高くすることができる。さらに、第４副画素４９Ｗが等間隔配置されるので、第４の色の副画素をより均一に分散配置することができる。
【００４３】
（実施形態２）
次に、本発明を実施するための第２の実施形態（実施形態２）について説明する。実施形態１と同様の構成については、同じ符号を付して説明を省略することがある。図８は、実施形態２に係る画像表示パネル４０の一部分の画素配置を示す図である。図８に示す範囲は、図４に示す範囲に対応する。図８に示すように、実施形態２のＢ列における副画素４９の配置は、実施形態１のＢ列における第２副画素４９Ｇと、第３副画素４９Ｂ又は第４副画素４９Ｗとの位置を入れ替えた配置になっている。この配置に関する差異を除いて、実施形態２は、実施形態１と同様である。
【００４４】
すなわち、Ｂ列の画素４８Ｂにおける第１副画素４９Ｒ、第２副画素４９Ｇ、第３副画素４９Ｂの並び順は、ストライプ配列の左側から右側に向かう順に記載すると、第１副画素４９Ｒ、第３副画素４９Ｂ、第２副画素４９Ｇ、第３副画素４９Ｂの順である。同様の記載順で、Ｂ列の画素４８Ｗにおける第１副画素４９Ｒ、第２副画素４９Ｇ、第３副画素４９Ｂ、第４副画素４９Ｗの並び順は、第１副画素４９Ｒ、第４副画素４９Ｗ、第２副画素４９Ｇ、第３副画素４９Ｂの順である。
【００４５】
上記のようなＢ列の副画素４９の配置により、実施形態２では、Ｒ列に存する画素４８Ｗが有する第４副画素４９Ｗから右側に他の副画素４９（第１副画素４９Ｒ、第２副画素４９Ｇ又は第３副画素４９Ｂ）を七つ隔てて、Ｂ列に存する画素４８Ｗが有する第４副画素４９Ｗが設けられている。また、Ｂ列に存する画素４８Ｗが有する第４副画素４９Ｗから右側に他の副画素４９を七つ隔てて、Ｇ列に存する画素４８Ｗが有する第４副画素４９Ｗが設けられている。また、Ｇ列に存する画素４８Ｗが有する第４副画素４９Ｗから右側に他の副画素４９を七つ隔てて、Ｒ列に存する画素４８Ｗが有する第４副画素４９Ｗが設けられている。さらに、隣接する二列の副画素４９の一方で第４副画素４９Ｗが配置されている副画素４９の列と、他方で第４副画素４９Ｗが配置されている副画素４９の列との間に存する副画素４９の列の数は一律三列である。このように、実施形態２では、第４副画素４９Ｗが等間隔配置されている。
【００４６】
実施形態２によれば、実施形態１と同様の効果に加えて、第４副画素４９Ｗが等間隔配置されるので、第４の色の副画素をより均一に分散配置することができる。
【００４７】
（実施形態２の変形例）
図９は、実施形態２の変形例に係る画像表示パネル４０の一部分の画素配置を示す図である。さらに、図９に示すように、図８の画素４８Ｗの第３副画素４９Ｂ及び第４画素４９Ｗを入れ替えてもよい。図９において、画素４８Ｗにおける第１副画素４９Ｒ、第２副画素４９Ｇ、第３副画素４９Ｂ、第４副画素４９Ｗの並び順は、ストライプ配列の左側から右側に向かう順に記載すると、第１副画素４９Ｒ、第３副画素４９Ｂ、第４副画素４９Ｗ、第３副画素４９Ｂの順である。
【００４８】
上記のような画素４８Ｗの配置により、実施形態２の変形例では、Ｒ列に存する画素４８Ｗが有する第４副画素４９Ｗから右側に他の副画素４９（第１副画素４９Ｒ、第２副画素４９Ｇ又は第３副画素４９Ｂ）を七つ隔てて、Ｂ列に存する画素４８Ｗが有する第４副画素４９Ｗが設けられている。また、Ｂ列に存する画素４８Ｗが有する第４副画素４９Ｗから右側に他の副画素４９を七つ隔てて、Ｇ列に存する画素４８Ｗが有する第４副画素４９Ｗが設けられている。また、Ｇ列に存する画素４８Ｗが有する第４副画素４９Ｗから右側に他の副画素４９を七つ隔てて、Ｒ列に存する画素４８Ｗが有する第４副画素４９Ｗが設けられている。さらに、隣接する二列の副画素４９の一方で第４副画素４９Ｗが配置されている副画素４９の列と、他方で第４副画素４９Ｗが配置されている副画素４９の列との間に存する副画素４９の列の数は一律三列である。このように、実施形態２の変形例では、第４副画素４９Ｗが等間隔配置されている。
【００４９】
実施形態２の変形例によれば、実施形態１と同様の効果に加えて、第４副画素４９Ｗが等間隔配置されるので、第４の色の副画素をより均一に分散配置することができる。
【００５０】
（実施形態３）
次に、本発明を実施するための第３の実施形態（実施形態３）について説明する。実施形態１と同様の構成については、同じ符号を付して説明を省略することがある。図１０は、実施形態３に係る画像表示パネル４０の一部分の画素配置を示す図である。図１０に示すように、実施形態３では、行方向に沿った画素列の並び順が、左から順に、Ｂ列、Ｒ列、Ｇ列、Ｇ列、Ｂ列、Ｒ列の順となっている。実施形態３の画像表示パネル４０は、この並び順の画素列のセット（上記Ｂ列、Ｒ列、Ｇ列、Ｇ列、Ｂ列、Ｒ列）が行方向に沿って周期的に設けられている。
【００５１】
実施形態３では、行方向については、画素４８Ｗの並びが一画素おきではない。具体的には、例えば図１０の一番上の画素行の場合、画素列のセットの左端から順に、画素４８Ｂ、Ｒ列に存する画素４８Ｗ、画素４８Ｇ、Ｇ列に存する画素４８Ｗ、Ｂ列に存す画素４８Ｗ、画素４８Ｒのように並んでいる。これを画素４８Ｗで有るか否かを「有」又は「無」で表すと、「無」、「有」、「無」、「有」、「有」、「無」の順になる。また、実施形態３では、Ｒ列に存する画素４８Ｗが有する第４副画素４９Ｗから右側に他の副画素４９（第１副画素４９Ｒ、第２副画素４９Ｇ又は第３副画素４９Ｂ）を七つ隔てて、Ｂ列に存する画素４８Ｗが有する第４副画素４９Ｗが設けられている。これらの画素列及び画素４８Ｗ（第４副画素４９Ｗ）の配置に関する差異を除いて、実施形態３は、実施形態１と同様である。確認的に記すと、列方向については、実施形態３は、実施形態１と同様、画素４８Ｗの並びが一画素おきである。
【００５２】
実施形態３によれば、実施形態１と同様の効果を奏することができる。
【００５３】
（実施形態４）
次に、本発明を実施するための第４の実施形態（実施形態４）について説明する。実施形態１と同様の構成については、同じ符号を付して説明を省略することがある。図１１は、実施形態４に係る画像表示パネル４０の一部分の画素配置を示す図である。図１１に示すように、実施形態４に係る画像表示パネル４０は、全て画素４８Ｗで構成されている画素列（Ｗ列）を有する。Ｗ列は、ストライプ配列の左側から右側に向かう順に記載すると、第４副画素４９Ｗ、第１副画素４９Ｒ、第２副画素４９Ｇ、第３副画素４９Ｂの順に副画素４９が並ぶ画素４８Ｗと、第３副画素４９Ｂ、第１副画素４９Ｒ、第２副画素４９Ｇ、第４副画素４９Ｗの順に副画素４９が並ぶ画素４８Ｗとが列方向について交互に並ぶ画素列である。図１１に示す例では、行方向に沿った画素列の並び順が、左から順に、Ｂ列、Ｒ列、Ｗ列、Ｇ列、Ｒ列、Ｗ列の順となっている。実施形態４の画像表示パネル４０は、この並び順の画素列のセットが行方向に沿って周期的に設けられている。
【００５４】
実施形態４では、第１の色の副画素（第１副画素４９Ｒ）の数と、第２の色の副画素（第２副画素４９Ｇ）の数と、第３の色の副画素（第３副画素４９Ｂ）の数のうち少なくとも一つの色の副画素４９の数が他の色の副画素の数と異なる。具体的には、例えば図１１に示す例の場合、第１副画素４９Ｒの数と、第２副画素４９Ｇの数と、第３副画素４９Ｂの数と、第４副画素４９Ｗの数との比率は、１４：１３：１３：８である。図１１に示す例は、仮に実施形態１〜３のように第１の色の副画素（第１副画素４９Ｒ）の数と、第２の色の副画素（第２副画素４９Ｇ）の数と、第３の色の副画素（第３副画素４９Ｂ）の数とが等しい場合に第１色成分が第２色成分及び第３色成分に比して不足する色再現傾向を示す画像表示パネル４０に対して適用される。このように、実施形態４は、副画素４９の各色成分の割合を調整することで、画像表示パネル４０のカラーバランスを調整することができる。図１１に示す例は、第１色成分をより強める目的で第１副画素４９Ｒが相対的に多い副画素４９の配分となっているが、これはあくまで一例であり、実施形態４における副画素４９の各色成分の配分はこれに限られるものでない。例えば、第２色成分をより強める目的であれば、図１１に示す第１副画素４９Ｒと第２副画素４９Ｇの数又は配置、あるいはその両方を入れ替えればよい。第３色成分をより強める場合も同様である。実施形態４では、各色成分の過不足の傾向に応じて、各色成分の副画素４９の配分を適宜決定する。ただし、実施形態４において、第４副画素４９Ｗは、画像表示パネル４０が有する複数の画素のうち一つ以上の画素に必ず設けられ、かつ、全ての画素４８に設けられることがないという条件が適用される。また、実施形態４において、全ての画素４８は、必ず一つ以上の第１副画素４９Ｒ、第２副画素４９Ｇ、第３副画素４９Ｂを有するという条件が適用される。係る条件下で、第１副画素４９Ｒ、第２副画素４９Ｇ、第３副画素４９Ｂ及び第４副画素４９Ｗの数の比率が調整される。
【００５５】
第４実施形態によれば、副画素４９の各色成分の割合を異ならせることで、表示部（例えば、画像表示パネル４０）のカラーバランスを調整することができる。
【００５６】
（適用例）
次に、図１２及び図１３を参照して、各実施形態で説明した表示装置１０の適用例について説明する。図１２及び図１３は、各実施形態に係る表示装置を適用する電子機器の一例を示す図である。各実施形態に係る表示装置１０は、図１２に示すカーナビゲーションシステム、テレビジョン装置、デジタルカメラ、ノート型パーソナルコンピュータ、図１３に示す携帯電話等の携帯端末装置あるいはビデオカメラなどのあらゆる分野の電子機器に適用することが可能である。言い換えると、各実施形態に係る表示装置１０は、外部から入力された映像信号あるいは内部で生成した映像信号を、画像あるいは映像として表示するあらゆる分野の電子機器に適用することが可能である。なお、本適用例は、各実施形態に係る表示装置１０以外でも、以上説明した他の実施形態、変形例及び他の例に係る表示装置にも適用できる。
【００５７】
図１２に示す電子機器は、各実施形態に係る表示装置１０が適用されるカーナビゲーション装置である。表示装置１０は、自動車の車内のダッシュボード３００に設置される。具体的にはダッシュボード３００の運転席３１１と助手席３１２の間に設置される。カーナビゲーション装置の表示装置１０は、ナビゲーション表示、音楽操作画面の表示、又は、映画再生表示等に利用される。
【００５８】
図１３に示す電子機器は、各実施形態に係る表示装置１０が適用される携帯型コンピュータ、多機能な携帯電話、音声通話可能な携帯コンピュータまたは通信可能な携帯コンピュータとして動作し、いわゆるスマートフォン、タブレット端末と呼ばれることもある、情報携帯端末である。この情報携帯端末は、例えば筐体５６２の表面に表示部５６１を有している。この表示部５６１は、各実施形態に係る表示装置１０と外部近接物体を検出可能なタッチ検出（いわゆるタッチパネル）機能とを備えている。  
【００５９】
以上、本発明の実施形態及び変形例を説明したが、これらの実施形態等の内容によりこれらの実施形態等が限定されるものではない。また、前述した構成要素には、当業者が容易に想定できるもの、実質的に同一のもの、いわゆる均等の範囲のものが含まれる。さらに、前述した構成要素は適宜組み合わせることが可能である。さらに、前述した実施形態等の要旨を逸脱しない範囲で構成要素の種々の省略、置換又は変更を行うことができる。例えば、表示装置１０は、有機発光ダイオード（ＯＬＥＤ）のような自発光体を点灯する自発光型の画像表示パネル４０を有していてもよい。また、副画素毎の色の決定（第１の色、第２の色、第３の色又は第４の色）は、カラーフィルタに限らず、発光材料を用いて行うことができる。
【００６０】
また、上記の実施形態では入力信号及び出力信号が示す色の色空間としてＨＳＶ色空間を採用しているが、ＨＳＶ色空間はあくまで本発明に係り採用可能な色空間の一例であってこれに限られるものでなく、別の色空間を採用することができる。また、副画素の色は、赤色、緑色、青色及び白色に限られるものでなく、これらの色のうち少なくともいずれか一色を他の色としてもよい。具体例を挙げると、白色に代えてイエロー（Ｙ）等の色を採用するようにしてもよい。また、赤色、緑色、青色の三原色に代えて、シアン（Ｃ）、マゼンタ（Ｍ）、イエロー（Ｙ）等の色を採用するようにしてもよい。
【００６１】
また、上記の実施形態において述べた態様によりもたらされる他の作用効果について本明細書記載から明らかなもの、又は当業者において適宜想到し得るものについては、当然に本発明によりもたらされるものと解される。
【００６２】
また、本発明は、以下の構成を取ることもできる。
（１）
複数の画素が設けられた表示部を有する表示装置であって、
一つの画素は、四つの副画素を有し、
前記表示部は、
それぞれ異なる色である第１の色、第２の色、第３の色及び第４の色の四色の副画素をそれぞれ一つずつ有する画素と、
前記第１の色、前記第２の色又は前記第３の色のうちいずれか一色の副画素を二つ有し、他の二色の副画素をそれぞれ一つずつ有する画素と、
を有する、
表示装置。
（２）
前記複数の画素は、互いに交差する二方向に沿ってマトリクス状に設けられ、
前記第４の色の副画素は、前記二方向のうち少なくとも一方向に沿って所定周期で配置される、
（１）に記載の表示装置。
（３）
前記複数の画素は、互いに交差する二方向に沿ってマトリクス状に設けられ、
前記第４の色の副画素を有する画素と前記第４の色の副画素を有しない画素とが前記二方向のうち少なくとも一方向に沿って互い違いに設けられる、
（１）又は（２）に記載の表示装置。
（４）
前記第１の色の副画素の数と、前記第２の色の副画素の数と、前記第３の色の副画素の数とは等しい、
（１）又は（２）に記載の表示装置。
（５）
前記第１の色の副画素の数と、前記第２の色の副画素の数と、前記第３の色の副画素の数のうち少なくとも一つの色の副画素の数が他の色の副画素の数と異なる、
（１）又は（２）に記載の表示装置。
（６）
一つの画素に含まれる同色の二つの副画素は隣接する、
（１）又は（２）に記載の表示装置。
（７）
前記第１の色、前記第２の色、前記第３の色は、それぞれ赤色、緑色、青色である、
（１）又は（２）に記載の表示装置。
（８）
前記第４の色は、白色である、
（１）又は（２）に記載の表示装置。
（９）
前記画素に含まれる四つの副画素は、所定の方向に沿って連続的に配置される、
（１）又は（２）に記載の表示装置。
【符号の説明】
【００６３】
１０  表示装置
２０  信号処理部
３０  画像表示パネル駆動回路
３１  信号出力回路
３２  走査回路
４０  画像表示パネル
４８  画素
４８Ｒ  画素
４８Ｂ  画素
４８Ｇ  画素
４８Ｗ  画素
４９  副画素
４９Ｒ  第１副画素
４９Ｇ  第２副画素
４９Ｂ  第３副画素
４９Ｗ  第４副画素
５０  光源部
【図１】
0006386891.tif 000002
【図２】
0006386891.tif 000003
【図３】
0006386891.tif 000004
【図４】
0006386891.tif 000005
【図５】
0006386891.tif 000006
【図６】
0006386891.tif 000007
【図７】
0006386891.tif 000008
【図８】
0006386891.tif 000009
【図９】
0006386891.tif 000010
【図１０】
0006386891.tif 000011
【図１１】
0006386891.tif 000012
【図１２】
0006386891.tif 000013
【図１３】
0006386891.tif 000014